(57)【要約】【課題】全体をコンパクトに構成するための定電圧回路，逆接続保護回路を備え且つ逆接続を防止する識別構造部がコネクタに設けられている。【解決手段】携帯用通信機器Ａの外部機器接続用のコネクタＡｂに接続される出力端子Ｂｃと、臨時電源Ｂａの充電電流を定電圧で供給する定電圧回路１と、出力端子Ｂｃが携帯用通信機器Ａの外部機器接続用のコネクタＡｂに正負逆に接続された際に通電を阻止する逆接続保護回路２と、定電圧回路１と逆接続防止回路２とを収納するコネクタハウジングとを備え、コネクタハウジングには正負の向きを示す識別構造部が設けられてコネクタが構成されている。充電器は、上記コネクタに電源を収納する本体とから一体に組付けされて構成される。【選択図】                図１
2004229331.tif 000002
【特許請求の範囲】
【請求項１】
携帯用通信機器の外部機器接続部に接続される接続端子と、臨時電源の充電電流を定電圧で供給する定電圧回路と、接続端子が携帯用通信機器の外部機器接続部に正負逆に接続された際に通電を阻止する逆接続保護回路と、これらを収納するコネクタハウジングとを備え、コネクタハウジングには正負の向きを確認可能な識別構造部が設けられていることを特徴とする携帯用通信機器の充電器用コネクタ。
【請求項２】
携帯用通信機器の外部機器接続部に接続される接続端子と、臨時電源の充電電流を定電圧で供給する定電圧回路と、接続端子が携帯用通信機器の外部機器接続部に正負逆に接続された際に通電を阻止する逆接続保護回路と、これらを収納するコネクタハウジングとを備え、コネクタハウジングには正負の向きを確認可能な識別構造部が設けられ、逆接続保護回路には接続端子の携帯用通信機器の外部機器接続部への接続状態に応動して切換えられるスイッチング機能が設けられ、逆接続保護回路、定電圧回路は逆接続保護回路のスイッチング切換えに応動して定電圧回路が切換えられるように接続されていることを特徴とする携帯用通信機器の充電器用コネクタ。
【請求項３】
請求項１または２記載の携帯用通信機器の充電器用コネクタにおいて、識別構造部がコネクタハウジングの表面に正負を示す表示部として設けられていることを特徴とする携帯通信機器の充電器用コネクタ。
【請求項４】
請求項３記載の携帯用通信機器の充電器用コネクタにおいて、表示部がコネクタハウジングを異なる着色で樹脂成形してなることを特徴とする携帯通信機器の充電器用コネクタ。
【請求項５】
請求項３記載の携帯用通信機器の充電器用コネクタにおいて、表示部がコネクタハウジングの表面に設けられる文字、記号などであることを特徴とする携帯通信機器の充電器用コネクタ。
【請求項６】
請求項１から５のいずれか記載の携帯通信機器の充電器用コネクタと充電電源を装備する本体とから一体構成されることを特徴とする携帯通信機器の充電器。
【発明の詳細な説明】
【０００１】
【発明の属する技術分野】本発明は、携帯電話等の携帯用通信機器に内蔵されている二次電池からなるバッテリに充電する装置に係る技術分野に属する。
【０００２】
【従来の技術】一般に、携帯用通信機器には、内蔵されているバッテリに家庭用電源を利用して充電する専用の充電器が付属されている。然しながら、待機電力等を消耗する携帯用機器の特性から、専用の充電器を設置していない外出先等でバッテリに充電の必要性が生ずることがある。このため、専用の充電器を使用せずに、携帯用通信機器のバッテリに緊急避難的に充電する技術の開発が切望されている。
【０００３】
従来、携帯用通信機器のバッテリに緊急避難的に充電する技術としては、例えば、以下に記載のものが知られている。
【０００４】
【特許文献１】特開２００２−２７６８０号公報
【特許文献２】特開平１０−３２９３４号公報
【０００５】
特許文献１には、汎用され入手の容易な一次電池である乾電池を臨時電源として、携帯用通信機器の外部機器接続用のコネクタに接続される出力端子と、臨時電源の充電電流を定電圧で供給する定電圧回路を備えた携帯用通信機器の充電装置が記載されている。
【０００６】
特許文献２には、前述の特許文献１に加えて、出力端子が携帯用通信機器の外部機器接続用のコネクタに正負逆に接続された際に通電を阻止する逆接続保護回路を備えた携帯用通信機器の充電装置が記載されている。
【０００７】
なお、携帯用通信機器Ａが例えば「共通デジタルセルラホーン共通仕様」として標準化された規格の携帯電話である場合、図１４（Ａ）に示すように、電話機回線Ａａに接続された８ピン２列の合計１６ピンからなるコネクタＡｂの１番ピンと８番ピンとが充電装置Ｂの臨時電源Ｂａ、充電回路Ｂｂに接続した出力端子Ｂｃに接続されることになる。コネクタＡｂの１番ピンは、充電出力の正側に位置する。コネクタＡｂの８番ピンは、充電出力の負側に位置する。ところが、逆接続になった場合、図１４（Ｂ）に示すように、充電装置Ｂの出力端子Ｂｃに携帯用通信機器ＡのコネクタＡｂの１６番ピン、９番ピンが接続することになって、充電装置Ｂの臨時電源Ｂａが６Ｖであるとすると、携帯用通信機器ＡのコネクタＡｂの１６番ピン、９番ピンに３．６Ｖの負の電圧が掛かって矢印方向へ約２Ａの電流が流れることになる。この約２Ａの電流は、０．５〜０．７Ａの充電電流を想定して設計されている携帯用通信機器Ａ、充電装置Ｂに対して過大電流となって劣化、破壊を引起こす可能性がある。従って、充電装置Ｂに逆接続保護回路を備えることに重要な意義がある。
【０００８】
【発明が解決しようとする課題】特許文献１、２に係る携帯用通信機器の充電装置では、定電圧回路、逆接続保護回路の構成に具体性がないため、外出先等での使用に適応できるように全体をコンパクトに構成することに困難性が伴うという問題点がある。
【０００９】
また、逆接続保護回路としては、リレー回路、ヒューズ等からなる具体的な公知の技術も知られている。然しながら、これ等の公知の技術は、いわば前述の専用の充電器等に組込まれる大型のもので、外出先等での使用に適応できるように全体をコンパクトに構成するには適さないものである。
【００１０】
さらに、逆接続保護回路を動作させて保護するよりも、積極的に逆接続が防止される構造であることが望ましい。
【００１１】
本発明は、このような問題点を考慮してなされたもので、全体をコンパクトに構成するための定電圧回路、逆接続保護回路を備えた構成携帯用通信機器の充電器用コネクタとこの充電器用コネクタを備える充電器を提供することを課題とする。
【００１２】
【課題を解決するための手段】前述の課題を解決するため、本発明に係る携帯用通信機器の充電器用コネクタと充電器は、次のような手段を採用する。
【００１３】
即ち、請求項１に係る携帯用通信機器の充電器用コネクタでは、携帯用通信機器の外部機器接続部に接続される接続端子と、臨時電源の充電電流を定電圧で供給する定電圧回路と、接続端子が携帯用通信機器の外部機器接続部に正負逆に接続された際に通電を阻止する逆接続保護回路と、これらを収納するコネクタハウジングとを備え、コネクタハウジングには正負の向きを確認可能な識別構造部が設けられていることを特徴とする。
【００１４】
この手段では、定電圧回路、逆接続保護回路がコネクタハウジングに収納されているので、コネクタハウジングの識別構造部により正負の向きが確認され、正確な正負の向きで携帯用通信機器の外部機器接続部に充電器用コネクタが接続可能となる。
【００１５】
また、請求項２に係る携帯用通信機器の充電器用コネクタでは、携帯用通信機器の外部機器接続部に接続される接続端子と、臨時電源の充電電流を定電圧で供給する定電圧回路と、接続端子が携帯用通信機器の外部機器接続部に正負逆に接続された際に通電を阻止する逆接続保護回路と、これらを収納するコネクタハウジングとを備え、コネクタハウジングには正負の向きを確認可能な識別構造部が設けられ、逆接続保護回路には接続端子の携帯用通信機器の外部機器接続部への接続状態に応動して切換えられるスイッチング機能が設けられ、逆接続保護回路、定電圧回路は逆接続保護回路のスイッチング切換えに応動して定電圧回路が切換えられるように接続されていることを特徴とする。
【００１６】
この手段では、定電圧回路、逆接続保護回路がコネクタハウジングに収納されているので、コネクタハウジングの識別構造部により正負の向きが確認され、正確な正負の向きで携帯用通信機器の外部機器接続部に充電器用コネクタが接続される。正負の向きを間違えたときには、逆接続保護回路のスイッチング切り換えにより低電圧回路が切換えられる。
【００１７】
また、請求項３では、請求項１または２記載の携帯用通信機器の充電器用コネクタにおいて、識別構造部がコネクタハウジングの表面に正負を示す表示部として設けられていることを特徴とする。
【００１８】
この手段では、充電接続するに際して、最も視覚が集中する接続端子部位の表面から正負の向きが容易に確認され、逆接続が確実に未然防止される機能が備えられる。
【００１９】
また、請求項４では、請求項３記載の携帯用通信機器の充電器用コネクタにおいて、表示部がコネクタハウジングを異なる着色で樹脂成形してなることを特徴とする。
【００２０】
この手段では、識別構造部がコネクタハウジングが異なる着色で美麗且つ明瞭に表示され、逆接続が確実に未然防止される機能が備えられる。
【００２１】
また、請求項５では、請求項３記載の携帯用通信機器の充電器用コネクタにおいて、表示部がコネクタハウジングの表面に設けられる文字、記号などであることを特徴とする。
【００２２】
この手段では、充電接続するに際して、文字や記号などにより正負の向きを容易に認識させ、無意識下でのうっかり逆接続が確実に未然防止される機能が備えられる。
【００２３】
さらに、請求項６に係る携帯通信機器の充電器では、請求項１から５のいずれか記載の携帯通信機器の充電器用コネクタと充電電源を装備する本体とから一体構成されることを特徴とする。
【００２４】
この手段では、充電器用コネクタの識別構造部によってコネクタの正負の向きが正確に確認され、正確な向きで本体を把持して逆接続が未然防止される携帯通信機器の充電器機能が備えられる。
【００２５】
【発明の実施の形態】以下、本発明に係る携帯用通信機器の充電器の実施の形態を図１〜図１３に基づいて説明する。
【００２６】
図１〜図３は、本発明に係る携帯用通信機器の充電器用コネクタと充電器の実施の形態（１）を示すものである。
【００２７】
この実施の形態では、前述の図１４に示した充電器Ｂの接続端子として出力端子Ｂｃを３個として、「共通デジタルセルラホーン共通仕様」として標準化された規格の携帯電話である携帯用通信機器ＡのコネクタＡｂの３番ピン（逆接続の際には１４番ピン）に接続されるものを追加したものを示してある。
【００２８】
この実施の形態は、充電器Ｂの充電回路Ｂｂに定電圧回路１、逆接続保護回路２を構成している。
【００２９】
定電圧回路１は、アルカリ乾電池等からなる臨時電源Ｂａの正側と充電出力の正側に位置する出力端子Ｂｃとの間に、抵抗Ｒ１とスイッチング機能を有する半導体素子であるトランジスタＱ１とが並列に接続され、トランジスタＱ１のエミッタに抵抗Ｒ２が直列に接続されている。抵抗Ｒ１、トランジスタＱ１のベースと追加された出力端子Ｂｃとの間には、ツエナダイオードＤ１が直列に接続されている。抵抗Ｒ１は、トランジスタＱ１のベースバイアス抵抗として２００〜５００Ωに設定される。抵抗Ｒ２は、電流制限のために数Ωに設定される。トランジスタＱ１は、ｎｐｎ形からなる。
【００３０】
逆接続保護回路２は、スイッチング機能を有する半導体素子であるトランジスタＱ２のベースに抵抗Ｒ３、ダイオードＤ２が直列に接続されている。トランジスタＱ２のエミッタは、定電圧回路１の抵抗Ｒ２と充電出力の正側に位置する出力端子Ｂｃとの間に接続されている。トランジスタＱ２のコレクタは、定電圧回路１の抵抗Ｒ１、トランジスタＱ１、ツエナダイオードＤ１の間に接続されている。トランジスタＱ２は、ｎｐｎ形からなるもので、ＯＮの際のコレクタ−エミッタ間電圧が０．７Ｖ以下に設定される。
【００３１】
この実施の形態（１）によると、定電圧回路１、逆接続保護回路２が半導体素子を主要素子として小形の基板に実装可能な回路構成になっているため、外出先等での使用に適応できるように全体をコンパクトに構成することに寄与することができる。また、半導体素子としてトランジスタ、ダイオードを採用しているため、安価で安定性のある回路を構成することができる。
【００３２】
この実施の形態（１）が携帯用通信機器ＡのコネクタＡｂに正接続された場合には、定電圧回路１のトランジスタＱ１がツエナダイオードＤ１の電圧に従い抵抗Ｒ１により順方向にバイアスされてＯＮ状態となるため、臨時電源Ｂａの正側からトランジスタ（コレクタ−エミッタ）Ｑ１、出力端子Ｂｃ、携帯用通信機器ＡのコネクタＡｂ（８番ピン）、電話機回線（バッテリ）Ａａ、コネクタＡｂ（１番ピン、出力端子Ｂｃを介して臨時電源Ｂａの負側に至る閉回路が形成され、充電電流が流れることになる。この充電の際には、定電圧回路１が充電電流の電圧を安定的に保持するとともに臨時電源Ｂａの電圧が低下した際の電流の逆流を阻止する。なお、逆接続保護回路２のトランジスタＱ２は、エミッタ−ベース間で抵抗Ｒ３、ダイオードＤ２を介して逆方向にバイアスされてＯＦＦ状態となるため、定電圧回路１のトランジスタＱ１に影響を及ぼすことはない。
【００３３】
この実施の形態（１）が携帯用通信機器ＡのコネクタＡｂに逆接続された場合には、出力端子Ｂｃに０．７Ｖの負の電圧が掛かると、逆接続保護回路２のトランジスタＱ２がスイッチング機能によってＯＮ状態に切換えられ、定電圧回路１のトランジスタＱ１がスイッチング機能によってＯＦＦ状態に切換えられる。この結果、前述の充電電流が流れる閉回路が臨時電源Ｂａの正側から抵抗Ｒ１、逆接続保護回路２のトランジスタ（コレクタ−エミッタ）Ｑ２を介して出力端子Ｂｃ至る回路に変更され、抵抗Ｒ１によって流れる電流が制限されることになる。従って、携帯用通信機器Ａ、充電器Ｂに過大電流が流れることがなく、携帯用通信機器Ａ、充電器Ｂの劣化、破壊が防止される。
【００３４】
なお、定電圧回路１のツエナダイオードＤ１は、追加された出力端子Ｂｃに接続されて、携帯用通信機器ＡのコネクタＡｂに接続されない場合に無用の電流が流れるのを防止する。また、追加された出力端子Ｂｃは、前述の逆接続の場合に、定電圧回路１のツエナダイオードＤ１、逆接続保護回路２のトランジスタ（コレクタ−エミッタ）Ｑ２、充電出力の正側の出力端子Ｂｃに接続される。従って、他の経路で過大電流が流れるようなこともない。
【００３５】
ここで、図２には、出力端子Ｂｃを携帯用通信機器ＡのコネクタＡｂの８ピン２列の構造に対応させてコネクタハウジング４に収納し、これをコネクタ３に組立て、使用を便利にするようにしたものが示されている。コネクタ３には、正負の向きを確認可能な識別構造部６が設けられている。識別構造部６としては、目視により正負の向きを確認可能なものであればよい。図３に示すように、コネクタハウジング４の最も容易に肉視可能な部位である出力端子側中央部に印刷、着色あるいかシ−ル付着等によって表示部６ａが設けられている。表示部６ａは着色、発光、蓄光等を利用して識別力を高めることが望ましい。
【００３６】
上記コネクタ３は、臨時電源Ｂａが収容されたケーシング本体５に着脱可能に取付けるようにしたものが示されている。このコネクタ３には、目視により正負の向きを確認可能な識別構造部６が設けられている。
【００３７】
図４及び図５は、本発明に係る携帯用通信機器の充電器用コネクタの実施の形態（２）を示すものである。
【００３８】
この実施の形態（２）では、識別表示部６は、コネクタハウジング４の両側の全面に異なる色彩の表示部６１、６２を備えている。表示部６１、６２は正の向き側と負の向き側とに表裏に形成され、例えばコネクタハウジング４を樹脂成形するに際して使用される２色樹脂成形機などで利用される。色彩としては任意な色、透明あるいはスケルトンなどの組合せで選択される。
【００３９】
この実施の形態（２）によると、コネクタハウジング４の樹脂成形時に識別構造部６を設けることができ、コネクタハウジング４の全体から美麗且つ明瞭に表示して逆接続を確実に未然防止可能となる。また、本体５へのコネクタハウジング４の組付けに当たっても識別作業が容易となる。
【００４０】
図６及び図７は、本発明に係る携帯用通信機器の充電器用コネクタ実施の形態（３）を示すものである。
【００４１】
この実施の形態（３）の識別表示部６は、コネクタハウジング４の両側の表面に文字などの表示部６３、６４を備えている。表示部６３、６４はコネクタハウジング４を成形するに際して成形して形成するか、成形後に貼付や印刷等で付与される。
【００４２】
この実施の形態（３）によると、コネクタハウジング４の表示部６３、６４の文字などを目視して接続の向きを確認することができ、明瞭に意識して逆接続を確実に未然に防止可能となる。
【００４３】
図８は、本発明に係る携帯用通信機器の充電器の実施の形態（４）を示すものである。
【００４４】
この実施の形態（４）では、前述の実施の形態（１）の定電圧回路１に抵抗Ｒ２とともに電流制限回路を構成するｎｐｎ形のトランジスタＱ３を追加してある。
【００４５】
この実施の形態（４）によると、前述の充電器の実施の形態（１）に比して充電の際の電流制限性能が向上する外は、前述の実施の形態（１）とほぼ同様の作用、効果が奏される。
【００４６】
なお、この実施の形態の追加されたトランジスタＱ３は、定電圧回路１のトランジスタＱ１がＯＦＦ状態になると、抵抗Ｒ２へ電流が流れなくなるため、ＯＦＦ状態に切換えられて不具合を生ずることはない。
【００４７】
図９、図１０は、本発明に係る携帯用通信機器の充電器の実施の形態（５）を示すものである。
【００４８】
この実施の形態（５）では、前述の充電器の実施の形態（１）〜（４）とは異なり、出力端子Ｂｂを２個として定電圧回路１、逆接続保護回路２を大幅に組換えている。ただし、前述の実施の形態（１）〜（４）のコンパクト性を損なうことがないように、半導体素子を主要素子としていることに変化はない。
【００４９】
定電圧回路１は、電界効果トランジスタ（ＦＥＴ）からなるトランジスタＱ１０と、ｎｐｎ形のトランジスタＱ２０と抵抗Ｒ１０、Ｒ２０とで構成されている。そして、電流制限回路としてトランジスタＱ２０と抵抗Ｒ２０とが接続されている。トランジスタＱ１０は、ゲート−ソース間に数Ｖの正の電圧が掛かった場合にＯＮ状態となり、ゲート−ソース間に数Ｖ以下の正の電圧が掛かった場合にＯＦＦ状態となるように設定されている。
【００５０】
逆接続保護回路２は、ｎｐｎ形のトランジスタＱ３０、Ｑ４０と、抵抗Ｒ３０、Ｒ４０、Ｒ５０、Ｒ６０、Ｒ７０と、ダイオードＤ１０とで構成されている。
【００５１】
この実施の形態（５）が携帯用通信機器ＡのコネクタＡｂに正接続された場合には、回路を変形した図１０から明らかなように、逆接続保護回路２のトランジスタＱ４０がエミッタ−ベース間に抵抗６０、ダイオードＤ１０を介して逆方向にバイアスされてＯＦＦ状態となるため、定電圧回路１のトランジスタＱ１０に影響を及ぼすことはない。従って、臨時電源Ｂａの正側から携帯用通信機器ＡのコネクタＡｂ（８番ピン）、電話機回線（バッテリ）Ａａ、コネクタＡｂ（１番ピン）、定電圧回路１のトランジスタ（ドレイン−ソース）Ｑ１０、抵抗Ｒ２０を介して臨時電源Ｂａの負側に至る閉回路が形成され、充電電流が流れることになる。この充電の際には、定電圧回路１が充電電流の電圧を安定的に保持するとともに臨時電源Ｂａの電圧が低下した際の電流の逆流を阻止する。
【００５２】
さらに、この実施の形態（５）が携帯用通信機器ＡのコネクタＡｂに逆接続された場合には、逆接続保護回路２のダイオードＤ１０、抵抗６０を介してトランジスタＱ４０がベース−エミッタ間を順方向にバイアスされてＯＮ状態に切換えられる。そして、臨時電源Ｂａと逆接続保護回路２のトランジスタＱ４０のコレクタ−エミッタ間のオン電圧とを抵抗Ｒ４０、Ｒ５０で分圧した電圧によって、逆接続保護回路２のトランジスタＱ３０がＯＮ状態に切換えられ、定電圧回路１のトランジスタＱ１０がＯＦＦ状態に切換えられる。この結果、臨時電源Ｂａ、逆接続回路には、かなりの抵抗が存在することになって、流れる電流が制限されることになる。従って、携帯用通信機器Ａ、充電器Ｂに過大電流が流れることがなく、携帯用通信機器Ａ、充電器Ｂの劣化、破壊が防止される。
【００５３】
図１１は、本発明に係る携帯用通信機器の充電器の実施の形態（６）を示すものである。
【００５４】
この実施の形態（６）では、前述の充電器の実施の形態（５）の逆接続保護回路２のトランジスタＱ３０とＱ４０とをｐｎｐ形の１個のトランジスタ３００に置換えてある。また、定電圧回路１の電流制限回路の一部を逆接続保護回路２の一部で兼用している。
【００５５】
この実施の形態（６）によると、前述の充電器の実施の形態（５）とほぼ同様の作用、効果を奏することに加えて、前述の実施の形態（５）に比して回路構成を簡素化することができる利点がある。
【００５６】
図１２は、本発明に係る携帯用通信機器の充電器の実施の形態（７）を示すものである。
【００５７】
この実施の形態（７）では、前述の充電器の実施の形態（１）の出力端子Ｂｂを２個として、ツエナダイオードＤ１に代えて臨時電源Ｂａの負側と充電出力の負側の出力端子Ｂｂとの間にダイオードＤ３を直列に接続し、臨時電源Ｂａの正側と抵抗Ｒ１、トランジスタＱ１との間に抵抗Ｒ４を直列に接続してある。
【００５８】
この実施の形態（７）によると、前述の充電器の実施の形態（１）とほぼ同様の作用、効果が奏される。
【００５９】
図１３は、本発明に係る携帯用通信機器の充電器の実施の形態（８）を示すものである。
【００６０】
この実施の形態（８）では、前述の充電器の実施の形態（７）を既存の専用の充電器Ｃ等に組込みまたはアタッチメント式に接続できる使用例を示している。半導体素子を主要素子として小形の基板に実装可能な回路構成になっているため、既存の専用の充電器Ｃ等へ簡単に適用することもできる。
【００６１】
なお、この実施の形態では、前述の充電器の実施の形態（７）におけるダイオードＤ３、抵抗Ｒ４が不要になる。
【００６２】
以上、図示した充電器の実施の形態の外に、半導体素子としてサイリスタ、ゲートＩＣ等を選択することも可能である。
【００６３】
さらに、前述の携帯用通信機器の充電器用コネクタと充電器の実施の形態（１）に示すように、充電器用コネクタの実施の形態（２）（３）と充電器の実施の形態（４）〜（８）を夫々一体に組合わせて実施可能である。
【００６４】
【発明の効果】以上のように、本発明に係る携帯用通信機器の充電器用コネクタは、コネクタハウジングの識別構造部により正負の向きを確認することができ、正確な正負の向きで携帯用通信機器の外部機器接続部に充電器用コネクタを逆接続することなく正確に接続することが可能となり、逆接続保護回路に接続しないように予め未然防止することができる。特に、識別構造部によって正負の向きがあることを認識させるために、うっかり防止効果が果たされ、
【００６５】
その結果、本発明に係る携帯用通信機器の充電器用コネクタは、各種電源構造の本体に、逆接続の未然防止機能を有する組付け可能なコネクタとして提供できる。
【００６６】
また、本発明に係る携帯用通信機器の充電器は、定電圧回路、逆接続保護回路がコネクタハウジングに収納され、これらが小形の基板に実装可能な半導体素子、抵抗で構成するために、全体をコンパクトに構成して本体と組付けすることができる。
【図面の簡単な説明】
【図１】本発明に係る携帯用通信機器の充電器用コネクタと充電器の実施の形態（１）を示す回路図である。
【図２】図１のコネクタの機械的構成図である。
【図３】図１、２における充電器の全体の機械的構成図である。
【図４】本発明に係る携帯用通信機器の充電器用コネクタの実施の形態（２）を示す平面図である。
【図５】本発明に係る携帯用通信機器の充電器用コネクタの実施の形態（２）を示す側面図である。
【図６】本発明に係る携帯用通信機器の充電器用コネクタの実施の形態（３）を示す表面図である。
【図７】本発明に係る携帯用通信機器の充電器用コネクタの実施の形態（３）を示す裏面図である。
【図８】本発明に係る携帯用通信機器の充電器の実施の形態（４）を示す回路図である。
【図９】本発明に係る携帯用通信機器の充電器の実施の形態（５）を示す回路図である。
【図１０】図９の変形回路図である。
【図１１】本発明に係る携帯用通信機器の充電器の実施の形態（６）を示す回路図である。
【図１２】本発明に係る携帯用通信機器の充電器の実施の形態（７）を示す回路図である。
【図１３】本発明に係る携帯用通信機器の充電器の実施の形態（８）を示す回路図である。
【図１４】従来技術の不具合を説明するための回路図であり、（Ａ）に正接続状態が示され、（Ｂ）に逆接続状態が示されている。
【符号の説明】
１                    定電圧回路
２                    逆接続保護回路
３                コネクタ
４                コネクタハウジング
５                本体
６                識別構造部
６１、６２、６３、６４
表示部
Ａ                携帯用通信機器
Ａｂ              コネクタ
Ｂ                充電器
Ｂｃ              出力端子
Ｄ１、Ｄ２・・    ダイオード
Ｑ１、Ｑ２・・        トランジスタ（半導体素子）
Ｒ１、Ｒ２・・    抵抗
【図１】
2004229331.tif 000003
【図２】
2004229331.tif 000004
【図３】
2004229331.tif 000005
【図４】
2004229331.tif 000006
【図５】
2004229331.tif 000007
【図６】
2004229331.tif 000008
【図７】
2004229331.tif 000009
【図８】
2004229331.tif 000010
【図９】
2004229331.tif 000011
【図１０】
2004229331.tif 000012
【図１１】
2004229331.tif 000013
【図１２】
2004229331.tif 000014
【図１３】
2004229331.tif 000015
【図１４】
2004229331.tif 000016